(57)【要約】  追加の髪付加部分を自然の髪に貼り付けて頭髪を長くし及び／又は厚くするために使用される種類の髪付加装置１は、使用時に著しい正確さ及び速さを可能にし、ハンドル２と、前記のハンドル２に支持され、頭髪の一部とそれぞれの追加の髪付加部分の１つ又は複数の固定化要素とをその間に収容するようになっている隣り合った一対の顎部材６、７と、加圧部材と、対照手段に対する加圧部材９のプログラムされた並進移動を決定するそれぞれの作動手段とを含む。
2005515313.tif 000002
【特許請求の範囲】
【請求項１】
追加の髪付加部分を自然の髪に付加して頭髪を長くし及び／又は厚くするために使用される種類の髪付加装置（１）であって、
ハンドル（２）と、
少なくとも１つの固定顎部材（７）及び少なくとも１つの加圧部材（９）であって、前記少なくとも１つの加圧部材が、頭髪の一部及びそれぞれの追加の髪付加部分の１つ又は複数の固定化要素をそれらの間に収容するようになっている、少なくとも１つの固定顎部材（７）及び少なくとも１つの加圧部材（９）と、
前記少なくとも１つの加圧部材（９）の作動手段（１１）とを含む、髪付加付加装置（１）において、
前記少なくとも１つの加圧部材（９）が、前記作動手段（１１）によって双方向並進移動の動きを制御されて、前記少なくとも１つの加圧部材（９）の作用に対して対照手段として作動する前記少なくとも１つの固定顎部材（７）に対して所定の圧力を加えることを特徴とする髪付加装置（１）。
【請求項２】
追加の髪付加部分を自然の髪に貼り付けて頭髪を長くし及び／又は厚くするために使用される種類の髪付加装置（１）において、
前記髪付加付加装置（１）が、ハンドル（２）と、一対の顎部材（６、７）とを含み、
前記一対の顎部材（６、７）が、固定されかつ互いに隣り合って、前記ハンドル（２）に支持され、頭髪の一部及びそれぞれの追加の髪付加部分の１つ又は複数の固定化要素をその間に収容するようになっており、
前記一対の顎部材のうちの第１の顎部材（６）が、少なくとも１つの加圧部材（９）及び前記少なくとも１つの加圧部材（９）の作動手段（１１）を支持し、第２の顎部材（７）が、前記少なくとも１つの加圧部材（９）の作用に対する対照手段としての固定顎部材として作用することを特徴とする髪付加装置（１）。
【請求項３】
前記作動手段（１１）が、前記頭髪の厚さの差を補償するために前記加圧部材（９）の上で回転するようになっている作動アーム（１３）を含む請求項１又は請求項２に記載された髪付加装置（１）。
【請求項４】
髪付加部分の固定化要素のための支持台である固定された対照部材（７）と、
固定された前記部材（７）に対して作用する可動加圧部材（９）とを含み、前記可動加圧部材（９）が、前記作動手段の所定の圧力で作動する圧縮空気装置（５１、７２）により制御される請求項１又は請求項２に記載された髪付加装置（１）。
【請求項５】
固定された前記部材（７）が、支え面（１０）を含む請求項１から請求項４までのいずれか１項に記載された髪付加装置（１）。
【請求項６】
前記支え面（１０）が、収容する髪を整列させる櫛状手段を両側に含む請求項５に記載された髪付加装置（１）。
【請求項７】
前記可動加圧部材（９）が、茎部（７１）の端部に形成された加圧面（７０）を有する請求項１から請求項６までのいずれか１項に記載された髪付加装置（１）。
【請求項８】
ハンドル（２）として作用し、かつ前記作動手段（１１、７２）を収容する本体を有する請求項１から請求項７までのいずれか１項に記載された髪付加装置（１）。
【請求項９】
前記支え面（１０）及び前記加圧面（７０）が、前記本体の伸長方向に対して実質的に垂直であり、前記茎部（７１）の軸が前記本体の伸長方向の軸と一致している請求項７及び請求項８に記載された髪付加装置（１）。
【請求項１０】
前記圧縮空気装置（７２）が、プランジャ（７４）、及び戻りを保証するばね（７５）を含む単作用ピストン（７３）を含み、前記ピストン（７３）が導管（７７）を通して中央装置（４）によって動力を供給され、前記中央装置（４）が前記所定の圧力を調整する装置を備える請求項４に記載された髪付加装置（１）。
【請求項１１】
前記可動加圧部材（７）が、固定化要素の接着を活性化するために、それ自体の加圧面（７０）を加熱されるようになっている請求項１から請求項１０までのいずれか１項に記載された髪付加装置（１）。
【請求項１２】
サーミスタ（１９）が、前記可動加圧部材（７）に収容され、前記中央装置（４）によって所定の電圧で電力供給され、該電圧により温度が決定される請求項１１に記載された髪付加装置（１）。
【請求項１３】
制御ユニット（４）がタイマを含み、該タイマが、命令ボタン（２６）に応答して、髪付加部分と頭髪との間の接合を実施する、圧縮−加熱−減圧のサイクルの実行を決定するようになっている請求項１から請求項１２までのいずれか１項に記載された髪付加装置（１）。
【請求項１４】
前記付加装置（１）を支持している支持ケーブル（１３２）が付加された延長可能な回転するアーム（１３１）を含む特殊装置（１３０）に組み立てられ、前記支持ケーブルが、作業者のために前記付加装置（１）の重さを事実上打ち消す分銅巻に接続されている請求項１から請求項１３までのいずれか１項に記載された髪付加装置（１）。
【請求項１５】
前記特殊装置（１３０）が、前記制御ユニット（４）を支持しかつ車輪（１３４）の上に組み立てられた基部を含む請求項１３及び請求項１４に記載された髪付加装置（１）。
【請求項１６】
前記固定顎部材（７）が、前記加圧部材（９）に向かい合った、弾性的に変形可能な材料で製造された表面板（１０）を有する請求項１又は請求項２に記載された髪付加装置（１）。
【請求項１７】
前記作動手段（１１）が、それ自体の駆動シャフト（１５）を有する電動機（１４）を含み、前記作動アーム（１３）が、並進移動の動きを生じさせるように前記駆動シャフト（１５）に機械的に係合されている請求項３に記載された髪付加装置（１）。
【請求項１８】
前記作動アーム（１３）が、そのストロークを制限する滑り路（１８）に挿入されている請求項３に記載された髪付加装置（１）。
【請求項１９】
前記加圧部材（９）の戻りが、前記加圧部材（９）とそれぞれの前記顎部材（６）との間に延在する弾性部材（５４）によって保証されている請求項４に記載された髪付加装置（１）。
【請求項２０】
前記第１の顎部材（６）が、前記第２の顎部材（７）と向かい合ったそれ自体の内面に、前記加圧部材（９）を収容する凹部（８）を含む請求項２に記載された髪付加装置（１）。
【請求項２１】
前記髪付加装置（１）が、追加の髪付加部分の固定化要素を活性化する手段を有し、前記活性化する手段が、前記加圧部材（９）と、分子間摩擦によって固定化要素を構成する熱可塑性物質を融解することができる実質的に超音波周波数の振動を伝えることのできる振動部材とを含む請求項１から請求項１０までのいずれか１項に記載された髪付加装置（１）。
【請求項２２】
前記第２の顎部材（７）が、前記加圧部材（９）の作用と協働して、前記ハンドル（２）の内部に収容された振動発生手段（６０）に接続されている振動部材として作動する請求項２１に記載された髪付加装置（１）。
【請求項２３】
前記加圧部材（９）が、固定された顎部材（７）に対して、及び前記ハンドルに接続された前記加圧部材（９）の案内部に対して移動する可動顎部材として作動する請求項１に記載された髪付加装置（１）。
【発明の詳細な説明】
【技術分野】
【０００１】
本発明の目的は、自然の髪に、通常、髪付加部分と呼ばれる追加の髪付加部分を貼り付けて、頭髪を長くし及び／又は厚くするために使用される種類の髪付加装置である。
【背景技術】
【０００２】
当技術分野では、いくつかの種類の追加の髪の付加が知られている。一般に、性質が非常に変わり易い固定化要素により、ある量の結合された追加の髪が、固定化要素共通の近位端に与えられる。
【０００３】
実際、圧力及び／又は熱を感じる接着剤、熱可塑性材料、熱融解性材料又は熱硬化性材料などを含む固定化要素が記述されている。一般に、最も広く普及した付加技術によると、固定化要素の接着を活性化するために、例えば熱と共に又は超音波と一緒に、圧力を固定化要素に加えることが提供されている。圧力貼付けの後に、接続部それ自体が固化し修正できなくなる前に、接着の成功及び頭髪内の接続部寸法を検査する目的で固定化要素の処理が続けて行なわれることがよくある。
【０００４】
これらの付加技術を実行するために、プライヤの使用が広く行われ、このプライヤは、適切な変化で、圧力と熱又は圧力と超音波などを同時に加えることができる。より完全なプライヤを使用することにより、追加の髪付加部分の貼付け及び接続サイズの制御の高速化及び容易化が可能になった。
【０００５】
同じ出願者の２００１年６月７日のイタリア特許第ＲＭ２００１Ａ０００３１７号には、それぞれの固定化要素を支持する接着テープを使用することにより、互いに近接しかつ単一解決策で貼付け可能な一組の髪付加部分が記載されている。
【０００６】
髪付加は、前記の接着テープによって全ての固定化要素に同時に圧力を加えることにより行われる。この前記の接着テープによって、その組の全ての髪付加部分の多数を接続することに加えて、接続それ自体の大きさの正確な制御と、事実上触感できない、より小さな接続のできる、より少量の熱可塑性物質の使用とが可能になる。
【０００７】
この実施例では、髪付加部分の固定化要素の全てに対しての同時の圧力印加が、伸長形状の圧力部材を備えたプライヤを使用して、ただ１つの動きで全ての固定化要素を取り囲みかつ強く挟むように行われる。
【０００８】
この種の髪付加に従来使用されたプライヤは、完全には満足できるものでなく、追加の髪付加部分の範囲を制限し、とりわけ、接着テープに連続して配列される種類の髪付加部分を制限していた。
【０００９】
実際、前記の髪付加部分の付加装置機能を行う知られているプライヤは、これだけではないが、とりわけ加熱手段又は超音波の発生のために重い装置となっており、いく人かの客に作業を行う理髪店で起こるかもしれないように、長時間の連続した一連の貼付けに沿って、一定の正確さで処理することは困難である。
【００１０】
しかも、そのような処理の困難さは、貼付け時間を長くし、接続の成功を判断できる専門スタッフの使用を必要とし、さらに、長くかつ厚くする作業の費用を高くする。
【００１１】
さらに、一連の髪付加部分が単一プライヤで付加される場合には、固定化要素に加えられる圧力は、加圧部材の形に依存して、また作業者の物理的な力にも依存して、一様でないかもしれない。この一様でないことにより、長く及び厚くすることの品質を制限する不完全な接続が形成される可能性がある。
【００１２】
とりわけ、髪付加部分の固定化要素への圧力印加は、髪付加部分及び固定化要素の厚さのばらつきを検知しないので、その結果、厚さが大きい場合、印加圧力が過大になる等が指摘されている。
【発明の開示】
【発明が解決しようとする課題】
【００１３】
本発明の根底を成す技術的な問題は、周知技術に関連して記載した欠点を取り除くことを可能にする髪付加装置を提供することである。
【課題を解決するための手段】
【００１４】
このような問題は、ハンドルと、少なくとも１つの固定顎部材及び少なくとも１つの加圧部材であって、それらの間に後者が頭髪の一部及びそれぞれの追加の髪付加部分の１つ又は複数の固定化要素を収容するようになっているものである固定顎部材及び加圧部材と、前記少なくとも１つの加圧部材の作動手段とを含み、前記少なくとも１つの加圧部材が前記作動手段によって双方向の並進移動の動きを制御されて、前記少なくとも１つの加圧部材の作用に対して対照手段として作用する前記少なくとも１つの固定顎部材に対して、所定の圧力を加えることを特徴とする前記の種類の付加装置によって解決される。
【００１５】
同じ発明概念によれば、本発明は、ハンドルと、互いに隣り合い、前記ハンドルに支持され、頭髪の一部及びそれぞれの追加の髪付加部分の１つ又は複数の固定化要素をその間に収容するようになっている一対の顎部材とを含み、前記一対の顎部材の第１の顎部材が、少なくとも１つの加圧部材及び前記少なくとも１つの加圧部材の作動手段を支持し、第２の顎部材が、前記少なくとも１つの加圧部材の作用に対して対照手段として作用することを特徴とする付加装置に関するものである。
【００１６】
そのような付加装置の好ましい具体例では、駆動手段は、開始命令で活動され、そして、固定顎部材の方に向かう加圧手段の並進移動、頭髪の一部とそれぞれの追加の髪付加部分の１つ又は複数の固定化要素の圧縮、前記固定化要素の活性化、及び加圧手段の戻り移動を実現する予め設定されたプログラムに従って作動する。
【００１７】
追加の好ましい具体例では、前記の技術問題は、
支持テープの上の髪付加部分の固定化要素及び厚くされる頭髪に対応する髪のための支え台である固定対照部材と、
前記固定部材に対して作用する可動加圧部材とを含み、可動加圧部材が、所定の圧力で作動する圧縮空気装置により制御される前記の種類の付加装置によって解決される。
【００１８】
本発明に従った付加装置の主要な有利点は、髪付加部分の数に無関係に、さらに、作業者が一定の力を加える必要なく、又は付加の実施に特別な経験を持つ必要なく、一様で常に等しく繰り返される固定化要素を用いた髪付加の実施を可能にすることにある。
【００１９】
さらに、非常に短い時間で完全に伸ばすこと及び／又は厚くすることを実施でき、付加時間は相当に短縮される。
【００２０】
さらに、固定化要素に加えられる圧力は、髪付加部分の厚さで変わらない。
【００２１】
そのような付加装置は、任意の種類、色、又は性質の追加の髪を有する連続した髪付加部分で効果的に使用されるだろう。前記の付加装置の好ましい使用は、異なる色、縞、脱色された髪などの付加のために行われる。
【００２２】
本発明は、例示であって制限しない目的のために提供される好ましい実施例のいくつかに従って、同封の図面を参照して以下で説明する。
【実施例】
【００２３】
図１を参照すると、自然の髪に追加の髪付加部分を付加して、頭髪を長くし及び／又は厚くするために使用される種類の髪付加装置を、全体として１で示す。髪付加装置はハンドル２を含み、このハンドル２は、以下で明らかになるように、ケーブル３を通して、電力供給され、さらに、付加装置１の動作を支えるプログラム可能プロセッサ及びメモリ・ユニットを含む制御ユニット４すなわち中央装置と接続されている。
【００２４】
ハンドル２は、作動キー５を有し、さらに一対の顎部材、とりわけ第１の顎部材６及び第２の顎部材７を支持し、これらの顎部材の両方は薄板状に延びている。
【００２５】
顎部材６、７は、隣り合いかつ互いに平行で、前記のハンドルに支持され、頭髪の一部及びそれぞれの付加される髪付加部分の１つ又は複数の部材をその間に収容できる状態で固定されている。
【００２６】
第１の顎部材６（図２及び３）は、第２の顎部材７と向き合っている内面に、加圧部材９を収容する凹部８を有し、この加圧部材９は、実質的には、第２の顎部材７の対向する表面に圧力を加えることに適したプレス機である。
【００２７】
前記の加圧部材９と異なって、第２の顎部材７は、好ましくは、ゴム、シリコーン、ポリテトラフルオロエチレン、又は同様な弾性的に変形可能な材料で作られた表面板１０を有する。
【００２８】
このようにして、第２の顎部材７は、可動部材に対して固定顎部材すなわち固定部材として作用し、この可動部材は、本実施例では加圧部材で構成され、前記の少なくとも１つの加圧部材９の作用に対して対照手段として作用することができる。
【００２９】
第１の顎部材６は、さらに、全体として１１で示す前記加圧部材９の作動手段を支持し、この作動手段は、第１の顎部材６の外側面に展開するケース１２に収容されている。
【００３０】
このような作動手段１１は作動アーム１３を備え、この作動アーム１３は、加圧部材９の実質的中心で回転し、そのとき加圧部材９は、以下でより明らかになるように、前記顎部材６、７の間に収容された頭髪の厚さに差があってもそれ補償するように、作動アーム１３に対して振れる。
【００３１】
前記の作動手段により、加圧部材は、第２の顎部材７の方に向かう、及び第２の顎部材７から離れる２方向の並進移動の動きに制御されて、頭髪部分及びその上に置かれた固定化要素の上の表面板に対して所定の圧力を加える。
【００３２】
本実施例によれば、作動手段１１は、それ自体の大きさに対応する大きな力を発生させ、かつそれ自体のシャフト１５を制限された円周角部分に両方向で制御することに適した種類の電動機１４を含む。
【００３３】
この実施例では、作動アーム１３は、特に駆動シャフト１４によって制御される歯車１６によって、電動機１４のシャフトに機械的に係合され、この歯車１６は、アーム１３の一方の側に形成された特有の歯１７で実現される。このために、アーム１３は、アームのストロークを制限する特有の滑り路１８に挿入される。
【００３４】
電動機１４は、ケーブル３及びユニット４によって電力供給され、このユニット４の中に、電動機作動時間、すなわち押しボタン５で制御される加圧部材９の下降ストロークと上昇ストロークとの間の経過時間が格納されている。
【００３５】
ユニット４には、加圧部材９の圧縮力、すなわち電動機１４の電力供給量が、また格納されている。
【００３６】
付加装置部材１では、加圧部材９は、固定化要素それ自体に加えられる圧力によって、髪付加部分の固定化要素の作動手段を実現する。さらに、加圧部材は、加圧部材９に埋め込まれかつ付加装置のケーブル３を通して適切に電力供給される蛇行配列サーミスタ１９によって、電気加熱される。
【００３７】
電動機１４の動作に関しての記載と同様に、サーミスタ１９が作動する時間の長さ及び電源の電力は、ユニット４に格納されている。
【００３８】
サーミスタ１９の電力供給は、明らかに、加圧部材９の下降ストローク及び上昇ストロークに影響を及ぼす必要がない。したがって、この電力供給は、例えば、滑り接触２０で行うことができる。
【００３９】
図４を参照して、付加装置１の前記実施例の第１の変形例を説明する。これに関して、同じ参照数字は等しい又は同等の構成要素を示す。
【００４０】
この実施例では、加圧部材を作動する作動手段１１は、液圧的な種類のものであり、作動シリンダ５１を含み、その軸が前記の作動アーム１３を構成する。
【００４１】
縮小された大きさで製造された作動シリンダ５１は、垂直方向（図４）又は水平方向に配置される。そのような場合、軸及び作動アームは、例えば歯車装置により機械的に接続される。
【００４２】
前記の作動シリンダ５１は、制御ユニット４で決定される出力及び時間に応じて、それぞれケーブル３の中に含まれかつユニット４に接続された５２及び５３で示す一対の導管により、圧縮空気を供給される。このユニット４は、作動シリンダの図示しない液圧動力手段を収容する。
【００４３】
加圧部材９のそれ自体の凹部８への戻りは、加圧部材９とそれぞれの顎部材６との間に延びる弾性部材５４により保証される。本実施例では、前記の弾性部材５４は、作動アーム１３の側に対称に配置された一対の螺旋状のばねである。
【００４４】
圧縮空気作動シリンダ使用の有利点は、第３の実施例を参照して詳細に強調する。
【００４５】
図５を参照して、本付加装置１の前記の実施例の第２の変形例を説明する。これに関して、同じ参照数字は等しい又は同等な構成要素を示す。
【００４６】
この付加装置において、追加の髪付加部分の固定化要素の活性化手段は、加圧手段は別として、２つの顎部材６、７のうちの１つで、本実施例では例えば第２の顎部材７で構成される振動部材も含む。
【００４７】
そのような振動部材は実質的に超音波周波数の振動を伝えることができ、この振動は、固定化要素を構成する例えばポリエステルのような熱可塑性物質を分子間摩擦により融解することができる。
【００４８】
前記の物質は、振動を停止すると、ほとんど直ぐに固体状態に戻り、髪付加部分と頭髪との間の接続を実現する。
【００４９】
本実施例において、振動部材として作用する第２の顎部材７は、ハンドル２の内部に収容された振動発生手段６０に接続されており、加圧部材９の動作と協働する振動供給期間を格納するユニット４のケーブル３を通して給電される。
【００５０】
図６及び図７を参照して、本発明に従った付加装置の追加の実施例を説明する。これに関して、同じ参照数字は等しい又は同等な構成部品を示す。
【００５１】
先の実施例と比較すると、付加装置１は、先行する実施例の前記の第２の顎部材７に機能的に対応する固定顎部材７である固定顎部材と、加圧部材９として作用する並進移動可能な顎部材とを実質的に有する。
【００５２】
先の実施例のように、固定顎部材７の部材は、ハンドル２に直接接続され、かつ対照板１０を含む。先の実施例と異なって、活性化手段１１はハンドル２の内部に収容され、この活性化手段１１は電気的又は液圧的であることができ、本実施例では電気的な種類のものである。
【００５３】
加圧部材９は、ハンドル２に接続された案内部６１に対する双方向並進移動に従って動くようになっている。案内部６１によって、加圧部材９は前記の作動手段に接続されている。本実施例では、作動手段は、駆動シャフト１５を備えた電動機１４を含み、この駆動シャフトは、歯車の嵌合６２によって、ねじ付きピン６３を回転的に作動させ、このねじ付きピンに、加圧手段に直接接続されたナットねじ６４が係合されている。
【００５４】
第１の実施例のように、サーミスタ型活性化手段１９が加圧手段９に挿入されている。そうでない場合には、活性化手段は、加圧手段９又は固定顎部材７を有する部材に接続された、振動型の種類のものとできる。
【００５５】
また、この場合、加圧部材９の動きは、圧縮空気で決定される。
【００５６】
図８を参照すると、前記に説明した付加装置１の変形体は大きな構造上の差を有しないが、固定顎部材７に対して垂直に、Ｌ状に配置されたハンドル２を含む。案内部６１は、ハンドル２の遠位端に配置され、ハンドル２の内側でナットねじ６４がねじシャフト６３に係合され、ねじシャフト６３の軸線並びに電動機１４及び電動機が直接接続されているそれぞれの駆動シャフト１５の軸線は、ハンドル２が延びている軸線に平行である。
【００５７】
以下の動作の説明から明らかになるように、前記の両方の実施例は、作動手段１１が開始命令で活動化され予め設定されたプログラムに従って作動するように実施される。このプログラムは、固定顎部材７の方に向かう加圧手段９の並進移動、頭髪の一部及びそれぞれの追加の髪付加部分の１つ又は複数の固定化要素の圧縮、前記固定化要素の活性化、及び加圧手段９の降下ストロークを実現する。
【００５８】
図９を参照して、これから、本発明に従った付加装置の追加の実施例を以下で説明する。
【００５９】
とりわけ、この付加装置１は本体２を有し、この本体２は、ハンドルとして作用し、かつ以下で説明する内部装置を収容する。対照固定部材７は、支え面１０を含み、本体２に固定されている。
【００６０】
留意すべきことは、支え面１０はハンドル２の延びる方向に対して実質的に垂直である。支え面１０の側面に、付加すべき髪付加部分をすくための櫛手段の歯を配置することができる。これは、完全に従来通りなので図示しない。
【００６１】
さらに、付加装置１は、前記固定部材７に対して作用する可動加圧部材９を含む。可動加圧部材９は、本体２から延びる茎部７１の端部に形成された加圧面７０を有し、この茎部７１の軸はハンドル２の伸長方向の軸線と一致している。加圧面７０は、また、ハンドル２の伸長方向に対して実質的に垂直である。
【００６２】
可動加圧部材２は、所定の圧力で作動し、ハンドル２に収容され、さらに前記の茎部７１に接続された作動手段の圧縮空気装置７２により制御される。圧縮空気装置７２は、茎部７１に接続されたプランジャ７４及び茎部１７の戻りを保証するばね７５を含む単作用ピストン７３を含む。ピストン７３は、中央装置４による導管７７を通した圧縮空気で動力を供給される。中央装置４は、前記の所定の圧力を調整する装置を備えている。
【００６３】
所定の圧力が重要な役割を果たす作動手段についてのこの説明は、第１及び第２の実施例に従った付加装置にも明らかに適用することができる。
【００６４】
可動加圧手段９は、それ自体の加圧面７０を加熱されて、好都合には熱可塑性材料でできた固定化要素Ｅの接着を活性化する。このために、サーミスタ１９は、可動加圧部材９に収容され、中央装置４によってケーブル７８を通して所定電圧で電力供給され、温度はこの所定電圧に依存している。前記の中央装置はさらにタイマを備え、このタイマは、本体１１に配置された制御ボタン７９に応答して、髪付加部分Ｃと頭髪Ｔの接続を実施する圧縮−加熱−減圧のサイクルの実行を決定する。
【００６５】
したがって、温度、圧力及び圧縮時間を設定すると、以下でさらに明らかになるように、ボタン７９の簡単な操作で、髪付加部分Ｃの集まりを完全に接合する前記のサイクルの実行が決定される。
【００６６】
また、この場合、前記の熱装置の代わりに振動装置を使用することができる。
【００６７】
図１６を参照すると、付加装置１は、１３０で示した特殊装置に取り付けることができる。この装置は、延長可能で回転するアーム１３１を含み、このアームに支持ケーブル１３２が付けられ、このケーブルが付加装置１を支持する。ケーブルは、作業者のために付加装置１の重さを実質的に打ち消す分銅巻に接続されている。
【００６８】
好都合なことに、装置１３０は、前記の中央装置４を支持し、かつ車輪１３４に取り付けられた基部１３３を含み、使用者を支える肘掛け椅子と向き合う位置に全体が配置される。
【００６９】
図１０、図１１及び図１２を参照して、全体的に１００で示した、髪の付加部分を一般的に含む、頭髪を厚くさせる組立体を説明する。
【００７０】
この厚くさせる組立体は接着テープ１０２を含み、限定ではないが好ましくは、この接着テープは実質的に透明であり、厚くさせる方法で厚くすべき頭髪に付加されることを目的としている。
【００７１】
透明なことにより、以後の付加工程とテープ１０２の付加により得られる効果とが明確となる。
【００７２】
接着テープ１０２を構成する材料は、以下で詳細に説明する理由のために、限定ではないが好都合には、耐熱性である。使用される接着剤は、永久的でなく可逆性で加圧作用型の種類のものであり、テープ１０２の単一接着面に塗布されている。
【００７３】
接着テープ１０２は、第１の区域１０３を有し、この区域１０３は、それぞれの第１の接着面１４３及び接着テープ１０２の残りの部分１０４を含み、この残りの部分１０４は、区域１０３の上にそれを完全に覆って折り重ねることができる（図１１及び１２）。有利なことに、本実施例では、また、前記の残りの部分１０４はそれぞれの第２の接着面１４４を有する。区域１０３及び残りの部分１０４は、簡単な刻み目又は折り畳み線１０５で分離されている。
【００７４】
さらに図１０を参照して、適切に選ばれた一様な色又は縞の付いた、自然か人口かの実質的に所定の量の髪を含む複数１０６の髪付加部分Ｃを説明する。そのような髪付加部分は、特に長くする方法で使用される場合にも髪付加部分として知られている。
【００７５】
本発明に従った組立体１００は、異なった厚さ、長さ、及び色の髪付加部分Ｃを含むことができる。一般に、髪付加部分は、頭髪に接合するように意図されるそれぞれの近位端１０７から自由な遠位端１０８に向かって延びている。各髪付加部分Ｃで、それぞれの髪は好ましくは一様な長さを有する。
【００７６】
各髪付加部分Ｃは、前記の近位端１０７に、本実施例に従って、ポリアミド、ポリエステル、又はポリウレタンのような熱可塑性材料、例えばナイロンで製造された固定化要素Ｅを含む。
【００７７】
各近位端１０７及び各固定化要素Ｅは、接着テープ１０２の区域１０３の前記の第１の接着面１４３に配列される。固定化要素Ｅは、実質的に等間隔で、かつテープ１０４の中心に配置される。隣り合う髪付加部分Ｃの髪が互いにもつれ合わないように、髪付加部分Ｃは互いに平行に並べられる。
【００７８】
接着テープ１０２の残りの部分１０４は、固定化要素の位置を示す手段を有し、この手段は、本実施例では印刷された線１４９を含む。残りの部分１０４を区域１０３に折り重ねることにより、前記の線１４９は、固定化要素Ｅの上に配列される。
【００７９】
残りの部分１０４の反対側に、接着テープ１０２は、同様に接着性で、区域１０３の上に折り重ねられた残りの部分１０４に接合し易くなっている、実質的に札入れ状の形をした舌部１４５を含む。
【００８０】
折り重ね構造である組立体１００は、さらに、テープ１０２の側縁部に得られた一対のくぼみ部１４６を備え、このくぼみ部は、残りの部分１０４及び舌部１４５を区域１０３に接合する刻み目上にある。
【００８１】
前記のくぼみ部１４６は、固定化要素Ｅを示す前記の手段に位置付けされ、以下で説明する接着手段の案内機能を果たす。
【００８２】
図１０を参照すると、組立体１００は、接着面１４３、１４４及び固定化要素Ｅを保護するために形成された、例えばシリコーン紙、リンネル紙、又はプラスチックのような、接着テープ１０２から容易に引き離すことができる材料で製造された支持テープＳも含むので、その結果、接着テープ１０２は、折り重ならず、丸まらず、また粘着しない。
【００８３】
前記の接着面１４３、１４４に使用される接着材料は、固定化要素Ｅの材料に対して生じる付着力よりも、テープ１０２に対する大きな付着力を有する。その結果、接着材料の残留物は、付加の終了時に固定化要素に残らなくなる。
【００８４】
この準備方法では、テープ１０２は、目標区域１０３の接着面１４３に既に付着された髪付加部分Ｃの近位端１０７を備えていると想定するが、髪付加部分が様々な厚さ、長さ、色、その他を個々に備える解決策も可能である。
【００８５】
固定化要素Ｅをそれぞれの端部に接合するために、いくつかの装置を使用することができ、これらの装置には熱貼付け、注入、その他がある。
【００８６】
固定化要素の好ましい形は、長方形であり、以下で明らかになるように、その幅及び厚さ（図で拡大されている）は、熱可塑性材料の量を最小限に制限するために、それぞれの髪付加部分１０６の幅及び厚さに実質的に等しい。
【００８７】
そして、意図されていることであるが、前記の固定化要素Ｅは様々なサイズを有することができる。このサイズは、髪付加部分による厚さの付加を目的として、大きな長さ及び厚さを有する厚い髪付加部分用の大きなサイズ、中間の長さ及び厚さを有する髪付加部分用の中間のサイズ、及び最小厚さを特徴とする髪付加部分用の小さなサイズに、通常、分類される。
【００８８】
さらに本実施例では、熱可塑性材料は、塑性流体の特性を想定しかつ室温で冷却固化することから、室温より高い温度で融解し易い物質である。
【００８９】
高周波振動、とりわけ超音波振動の形で機械的なエネルギーを直接加えることにより、類似の特性を有する物質を融解することができる。この場合、分子間振動及び対応する摩擦で、分子を互いに塑性的に滑らせるのに必要な熱量が発生される。振動を中止すると、熱発生は止まって、実質的に即時の固化が行なわれる。
【００９０】
熱可塑性材料として使用することができる材料の実施例は、ポリエステル、ポリアミド、ポリウレタン、及びさらに他のものである。
【００９１】
本発明に従った固定化要素の機能は、各髪付加部分１０６の髪を接合された状態に保つ機能、及び厚くすべき頭髪の髪への付加部分の取付け点を与える機能である。
【００９２】
固定化要素の他の可能な実施例には、ディスク状又はケシ珠状に作られたプラスチック部材があり、このプラスチック部材の上に、付加部分の髪が固定される。接着手段は、例えば既に前に述べたような熱可塑性物質の部分、又は、圧力、熱硬化、熱収縮、その他により、にかわ及び／又は他の性質の接着剤で構成されるこれらの固定化要素に関連している。固定化要素のいくつかの実施例は、同じ出願者名の２００１年６月７日のイタリア特許出願第ＲＭ２００１Ａ０００３１７号に記載されている。この出願は、参照してここに組み込む。
【００９３】
小さなダイアモンドなどの追加の装飾部材が、固定化要素Ｅに添えられるかもしれない。この装飾部材は、髪付加部分１０６の髪の色と適合した色を備えている。
【００９４】
全ての固定化要素及びそれの前記の変形体は、本発明に従った付加装置を用いた髪付加に適用される。そのような付加を、図１３、１４及び１５を参照して説明する。とりわけ、前記の３つの実施例に従った付加装置は、髪付加部分の前記の組立体、並びに髪付加部分の任意の組立体、とりわけ、組立体の全ての髪付加部分を同時に処理するように固定化要素がテープ部に支持されている組立体に適用可能である。
【００９５】
前記の記載に従って、前記の接着テープ１０２の区域１０３の接着面１４３に指定通りに付着されたそれぞれの固定化要素Ｅを備えたそれぞれの近位端１０７を有する複数の髪付加部分Ｃが提供され、それにより接着テープ１０２の残りの部分１０４が前記の区域１０３の上に折り重ねることができる。
【００９６】
付加は、厚くすべき頭髪Ｔの部分Ｐが全ての髪を互いに平行に並べるように理髪によって準備される段階を備える。
【００９７】
その後で、前記の付加は、前記の近位端１０７を収容するように意図された領域を検出して、厚くすべき頭髪Ｔの部分を、折り重ね接着テープ１０２の前記の区域１０３と前記の残りの部分１０４との間に取り囲む追加の段階を備える。
【００９８】
好都合なことに、テープの残り部分は、頭髪の外側に付着される。すなわち頭の方を向いた接着面１４４で付着され、外側は接着面でない。
【００９９】
したがって、区域１０３は、それぞれの接着面１４３を用いて頭髪の前記の部分の下に付着され、髪付加部分の固定化要素Ｅは頭髪の部分の下に配列され、したがって隠して配列される。
【０１００】
区域１０３の接着は、残りの部分の接着に先行することができ、さらにこの段階で、部分Ｐの髪を理髪によって整列させておくことが必要である。
【０１０１】
このようにして、組立体１００は、札入れ状の形で閉じられる。この段階で、留意すべきことは、固定化要素の隣にあり髪付加部分Ｃと交差しない接着テープ１０２の上の縁部は、固定化要素Ｅ自体を頭皮自体から一様に間隔を空けて離して、頭皮に寄りかからせることができることである。
【０１０２】
さらに、髪付加部分Ｃが横切る接着テープ１０２の部分は、厚くすべき頭髪Ｔの部分を固定位置に保ちかつ依然として前記の理髪で与えられた方向を保って、この頭髪の部分を巻く。
【０１０３】
舌部１４５の接着によって、区域１０３と残り部分４の完全な重なりが保証される。固定化要素１０９は、頭髪の部分Ｐによって隠されたままであるが、その位置は、印刷された線１４９によって検出することができる。
【０１０４】
その後、付加装置１の固定部材７は、くぼみ部１４６を基準として支えられる。可動部材９は、前記の印刷された線を基準として残り部分１０４の方に容易に向けることができる。この段階で、前記のテープ１０１及び固定化要素Ｅで基本的に構成された接着手段が、作業者によって活性化される。
【０１０５】
本実施例では、熱可塑性材料の融解特性が利用される。実際、接着テープ１０１を介した固定化要素Ｅへのエネルギーの管理が実施される。図１４を参照して、次にプライヤ付加装置１が使用される。この場合、固定部材７及び可動部材９は、伸長形状を有し、実質的に等しい圧力を分布させかつ固定部材Ｅを締めて、テープ１０２の長さ全体を締めることができる。
【０１０６】
この状況で、代替装置を使用してエネルギーを固定化要素Ｅに伝えることができ、これによって、例えば２０ｋＨｚから６０ｋＨｚまでの範囲の超音波周波数の振動の形での機械的エネルギーの使用が可能になる。この場合、１つ又は両方の加圧部材が前記のような振動部材、例えば所望の周波数の交流の作用を受ける圧電部材に接続され、この加圧部材が、直接且つテープ１０１を介して振動を固定化要素Ｅに伝える。
【０１０７】
この場合、留意すべきことは、振動の管理によって、熱可塑性材料の固定化要素の分子が、髪付加部分の単一の髪と頭髪Ｔの単一の髪の間で容易に滑動して、互いに浸透し合い混合し合うようになることである。
【０１０８】
本実施例に戻って、ボタン７９によって、付加装置１が作動し、プライヤとして作動する部材７、９の間に収容されたものの厚さと無関係に設定された一定圧力が、残り部分１０４に沿って一様に所定の長さの期間の間ずっと加わる。これは、頭髪への接続部に変化する各固定化要素９に対して同じ方法である。
【０１０９】
同じ様式による付加が、常に同じ結果が得られかつ作業者が筋力を加えるように強制されることもなく、数え切れないほどの回数繰り返され得ることが意図されている。
【０１１０】
好都合なことに、素早く順々に、いくつかの接着テープ１０２を貼り付け、それから前記の固定化要素を活性化することができる。僅かに異なった構成では、テープの位置を定めるためにも使用される付加装置の固定部材又は可動部材に、最初にテープを固定し、それから髪付加部分の固定化要素を頭髪に直接固定することができる。この場合、固定部材及び／又は可動部材は、それぞれの面に髪付加部分を付着する手段を備えている。
【０１１１】
この段階で、強調すべきことは、前記の付加装置が作動され、プライヤとして動作する部材の間に収容されたものの厚さと無関係に設定された一定圧力が、テープ１０４に沿って一様に所定の長さの期間の間ずっと加えられ、これが、接続部に変わる各固定化要素９に対して同じ方法である。このようにして、圧縮空気作動において前記の所定圧力に到達すると、髪及び圧縮された固定化要素の厚さに完全に無関係な方法で、自動的に圧縮は止まる。このようにして、より大きな厚さが過剰な圧縮を受けることはなく、また適正な圧力が減少した厚さに加えられる。
【０１１２】
意図することであるが、印加圧力の量、圧力継続時間、加熱量（温度）、加熱継続時間、振動の周波数、振動の強さ、振動の継続時間のような作動パラメータは、制御ユニットに予め設定されかつ格納される。そして、これらのパラメータは、貼り付けるべき髪付加部分及び固定化要素に仕様に基づいて変更され。
【０１１３】
この接合段階が終了すると、作業を完成させるために、冷却の終了時に、髪に接着剤を残すことなく接着テープ１０２を取り除くことで十分である。
【０１１４】
明らかに意図することであるが、前記のことは、全て同じ発明概念に属する前記の付加装置のどれにも適応することができる。
【０１１５】
意図することであるが、前記の実施例の付加装置は、万一の場合に備えて、特定の付加要求を満たすように特定の構成で形づくられた２以上の加圧部材を含むことができる。
【０１１６】
最後に、留意すべきことは、前記の実施例において、２個の固定顎部材を有し、作業者が直接制御する可動部分のない、貼付けの繰り返しを最大限に保証する、フォーク状の種類の軽い構造が使用される。
【０１１７】
連続した髪付加部分の貼付けにおいて、長さ７ｃｍで幅２ｃｍの例示のサイズを有する加圧部材の長さに、圧力が一様に加えられる。
【０１１８】
また、一様性は、加圧部材に対して回転する作動アームの存在によって保証される。
【０１１９】
このような付加装置は、特別な技術的な知識なしに作動することができ、かつ長い操業において過剰な努力で作業者を苦しめることのない装置を意のままに配置することにより、人為的な要素及び人為的な要素によって生じる誤りの実質的な排除を可能にする。
【０１２０】
長くすること、厚くすること、さらに一時的に脱色された髪などの使用者の利用がより簡単にされ、付加時間を最小限に減少され、使用の自由度も高められる。
【０１２１】
前記の付加装置に対して、当業者は、追加及び偶発的な要求を満たすために、いくつかの追加の修正物及び変形物を取り入れることができるが、全てのものは、同封の特許請求の範囲に定義されるような本発明の保護範囲内にある。
【図面の簡単な説明】
【０１２２】
【図１】本発明に従った付加装置の第１の実施例の透視図。
【図２】図１の付加装置の細部の透視部分断面図。
【図３】図２の拡大された細部の透視部分断面図。
【図４】実施の第１の代替え変形例に従った図３の拡大された細部の透視部分断面図。
【図５】実施の他の代替え変形例に従った図２の細部の透視部分断面図。
【図６】本発明に従った付加装置の第２の実施例の透視図。
【図７】図６の付加装置の拡大された細部の透視部分断面図。
【図８】図６の付加装置の他の変形例の透視部分断面図。
【図９】本発明に従った付加装置の第３の実施例の透視部分断面図。
【図１０】図１〜図９の付加装置により貼り付け可能な一組の髪付加部分の実施例を示す透視図。
【図１１】図１〜図９の付加装置により貼り付け可能な一組の髪付加部分の実施例を示す透視図。
【図１２】図１〜図９の付加装置により貼り付け可能な一組の髪付加部分の実施例を示す透視図。
【図１３】図１〜図９の付加装置の１つを用いた一組の髪付加部分の貼付けを示す透視図。
【図１４】図１〜図９の付加装置の１つを用いた前記の一組の髪付加部分の貼付けを示す透視図。
【図１５】図１〜図９の付加装置の１つを用いた前記の一組の髪付加部分の貼付けを示す透視図。
【図１６】図１〜図９の付加装置の１つを含んだ理髪店用の装置の正面図。
【図１】
2005515313.tif 000003
【図２】
2005515313.tif 000004
【図５】
2005515313.tif 000005
【図３】
2005515313.tif 000006
【図４】
2005515313.tif 000007
【図６】
2005515313.tif 000008
【図７】
2005515313.tif 000009
【図８】
2005515313.tif 000010
【図９】
2005515313.tif 000011
【図１０】
2005515313.tif 000012
【図１１】
2005515313.tif 000013
【図１２】
2005515313.tif 000014
【図１６】
2005515313.tif 000015
【図１３】
2005515313.tif 000016
【図１４】
2005515313.tif 000017
【図１５】
2005515313.tif 000018
【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
追加の髪付加部分を自然の髪に付加して頭髪を長くし及び／又は厚くするために使用される種類の髪付加装置（１）であって、
ハンドル（２）と、
少なくとも１つの固定顎部材（７）及び少なくとも１つの加圧部材（９）であって、前記少なくとも１つの加圧部材が、頭髪の一部及びそれぞれの追加の髪付加部分の１つ又は複数の固定化要素をそれらの間に収容するようになっている、少なくとも１つの固定顎部材（７）及び少なくとも１つの加圧部材（９）と、
前記少なくとも１つの加圧部材（９）の作動手段（１１）とを含み、
前記少なくとも１つの加圧部材（９）が、前記作動手段（１１）によって双方向並進移動の動きを制御されて、前記少なくとも１つの加圧部材（９）の作用に対して対照手段として作動する前記少なくとも１つの固定顎部材（７）に対して圧力を加える髪付加装置（１）において、
前記髪付加装置（１）が前記固定顎部材（７）に作用する可動加圧部材を含み、前記可動加圧部材（９）が、所定の圧力で作動する前記作動手段の圧縮空気装置（５１；７２）によって制御され、前記固定顎部材（７）が、髪付加部分の固定化要素の支え台となるようになっていることを特徴とする髪付加装置（１）。
【請求項２】
追加の髪付加部分を自然の髪に貼り付けて頭髪を長くし及び／又は厚くするために使用される種類の髪付加装置（１）であって、
前記髪付加付加装置（１）が、ハンドル（２）と、一対の顎部材（６、７）とを含み、
前記一対の顎部材（６、７）が、固定されかつ互いに隣り合って、前記ハンドル（２）に支持され、頭髪の一部及びそれぞれの追加の髪付加部分の１つ又は複数の固定化要素をその間に収容するようになっており、
前記一対の顎部材のうちの第１の顎部材（６）が、少なくとも１つの加圧部材（９）及び前記少なくとも１つの加圧部材（９）の作動手段（１１）を支持し、第２の顎部材（７）が、前記少なくとも１つの加圧部材（９）の作用に対する対照手段としての固定顎部材として作用する髪付加装置（１）において、
前記髪付加装置（１）が前記固定顎部材（７）に作用する可動加圧部材を含み、前記可動加圧部材（９）が、所定の圧力で作動する前記作動手段の圧縮空気装置（５１；７２）によって制御され、前記第２の顎部材が、髪付加部分の固定化要素の支え台となるようになっていることを特徴とする髪付加装置（１）。
【請求項３】
前記作動手段（１１）が、前記頭髪の厚さの差を補償するために前記加圧部材（９）の上で回転するようになっている作動アーム（１３）を含む請求項１又は請求項２に記載された髪付加装置（１）。
【請求項４】
前記固定顎部材（７）が、支え面（１０）を含む請求項１から請求項３までのいずれか１項に記載された髪付加装置（１）。
【請求項５】
前記支え面（１０）が、収容する髪を整列させる櫛状手段を両側に含む請求項４に記載された髪付加装置（１）。
【請求項６】
前記可動加圧部材（９）が、茎部（７１）の端部に形成された加圧面（７０）を有する請求項１から請求項５までのいずれか１項に記載された髪付加装置（１）。
【請求項７】
ハンドル（２）として作用し、かつ前記作動手段（１１、７２）を収容する本体を有する請求項１から請求項６までのいずれか１項に記載された髪付加装置（１）。
【請求項８】
前記支え面（１０）及び前記加圧面（７０）が、前記本体の伸長方向に対して実質的に垂直であり、前記茎部（７１）の軸が前記本体の伸長方向の軸と一致している請求項６及び請求項７に記載された髪付加装置（１）。
【請求項９】
前記圧縮空気装置（７２）が、プランジャ（７４）、及び戻りを保証するばね（７５）を含む単作用ピストン（７３）を含み、前記ピストン（７３）が導管（７７）を通して中央装置（４）によって動力を供給され、前記中央装置（４）が前記所定の圧力を調整する装置を備える請求項１または請求項２に記載された髪付加装置（１）。
【請求項１０】
前記可動加圧部材（７）が、固定化要素の接着を活性化するために、それ自体の加圧面（７０）を加熱されるようになっている請求項１から請求項９までのいずれか１項に記載された髪付加装置（１）。
【請求項１１】
サーミスタ（１９）が、前記可動加圧部材（７）に収容され、前記中央装置（４）によって所定の電圧で電力供給され、該電圧により温度が決定される請求項１０に記載された髪付加装置（１）。
【請求項１２】
制御ユニット（４）がタイマを含み、該タイマが、命令ボタン（２６）に応答して、髪付加部分と頭髪との間の接合を実施する、圧縮−加熱−減圧のサイクルの実行を決定するようになっている請求項１から請求項１１までのいずれか１項に記載された髪付加装置（１）。
【請求項１３】
前記付加装置（１）を支持している支持ケーブル（１３２）が付加された延長可能な回転するアーム（１３１）を含む特殊装置（１３０）に組み立てられ、前記支持ケーブルが、作業者のために前記付加装置（１）の重さを事実上打ち消す分銅巻に接続されている請求項１から請求項１２までのいずれか１項に記載された髪付加装置（１）。
【請求項１４】
前記特殊装置（１３０）が、前記制御ユニット（４）を支持しかつ車輪（１３４）の上に組み立てられた基部を含む請求項１２及び請求項１３に記載された髪付加装置（１）。
【請求項１５】
前記固定顎部材（７）が、前記加圧部材（９）に向かい合った、弾性的に変形可能な材料で製造された表面板（１０）を有する請求項１又は請求項２に記載された髪付加装置（１）。
【請求項１６】
前記作動手段（１１）が、それ自体の駆動シャフト（１５）を有する電動機（１４）を含み、前記作動アーム（１３）が、並進移動の動きを生じさせるように前記駆動シャフト（１５）に機械的に係合されている請求項３に記載された髪付加装置（１）。
【請求項１７】
前記作動アーム（１３）が、そのストロークを制限する滑り路（１８）に挿入されている請求項３に記載された髪付加装置（１）。
【請求項１８】
前記加圧部材（９）の戻りが、前記加圧部材（９）とそれぞれの前記顎部材（６）との間に延在する弾性部材（５４）によって保証されている請求項１または請求項２に記載された髪付加装置（１）。
【請求項１９】
前記第１の顎部材（６）が、前記第２の顎部材（７）と向かい合ったそれ自体の内面に、前記加圧部材（９）を収容する凹部（８）を含む請求項２に記載された髪付加装置（１）。
【請求項２０】
前記髪付加装置（１）が、追加の髪付加部分の固定化要素を活性化する手段を有し、前記活性化する手段が、前記加圧部材（９）と、分子間摩擦によって固定化要素を構成する熱可塑性物質を融解することができる実質的に超音波周波数の振動を伝えることのできる振動部材とを含む請求項１から請求項９までのいずれか１項に記載された髪付加装置（１）。
【請求項２１】
前記第２の顎部材（７）が、前記加圧部材（９）の作用と協働して、前記ハンドル（２）の内部に収容された振動発生手段（６０）に接続されている振動部材として作動する請求項２０に記載された髪付加装置（１）。
【請求項２２】
前記加圧部材（９）が、固定された顎部材（７）に対して、及び前記ハンドルに接続された前記加圧部材（９）の案内部に対して移動する可動顎部材として作動する請求項１に記載された髪付加装置（１）。
【手続補正２】
【補正対象書類名】明細書
【補正対象項目名】０００４
【補正方法】変更
【補正の内容】
【０００４】
これらの付加技術を実行するために、プライヤの使用が広く行われ、このプライヤは、適切な変化で、圧力と熱又は圧力と超音波などを同時に加えることができる。より完全なプライヤを使用することにより、追加の髪付加部分の貼付け及び接続サイズの制御の高速化及び容易化が可能になった。
この種類のプライヤは、米国特許公開公報３６４２０１０号および欧州特許公開公報０６５０６７２号に記載されている。
【手続補正書】
【提出日】平成16年7月29日(2004.7.29)
【手続補正１】
【補正対象書類名】特許請求の範囲
【補正対象項目名】全文
【補正方法】変更
【補正の内容】
【特許請求の範囲】
【請求項１】
追加の髪付加部分を自然の髪に付加して頭髪を長くし及び／又は厚くするために使用される種類の髪付加装置において、該髪付加装置が、
ハンドルと、
少なくとも１つの固定顎部材及び少なくとも１つの加圧部材であって、前記少なくとも１つの加圧部材が、頭髪の一部及びそれぞれの追加の髪付加部分の１つ又は複数の固定化要素をそれらの間に収容するようになっている、少なくとも１つの固定顎部材及び少なくとも１つの加圧部材と、
前記少なくとも１つの加圧部材の作動手段と、
前記髪付加装置が前記固定顎部材に作用する可動加圧部材を含み、
前記少なくとも１つの加圧部材が、前記作動手段によって双方向並進移動の動きを制御されて、前記少なくとも１つの加圧部材の作用に対して対照手段として作動する前記少なくとも１つの固定顎部材に対して圧力を加え、
前記可動加圧部材が、所定の圧力で作動する前記作動手段の圧縮空気装置によって制御され、前記固定顎部材が、髪付加部分の固定化要素の支え台となるようになっている髪付加装置。
【請求項２】
前記作動手段が、前記頭髪の厚さの差を補償するために前記加圧部材の上で回転するようになっている作動アームを含む請求項１に記載された髪付加装置。
【請求項３】
前記固定顎部材が、支え面を含む請求項１に記載された髪付加装置。
【請求項４】
前記支え面が、収容する髪を整列させる櫛状手段を両側に含む請求項３に記載された髪付加装置。
【請求項５】
前記可動加圧部材が、茎部の端部に形成された加圧面を有する請求項１に記載された髪付加装置。
【請求項６】
ハンドルとして作用し、かつ前記作動手段を収容する本体を有する請求項１に記載された髪付加装置。
【請求項７】
ハンドルとして作用し、かつ前記作動手段を収容する本体を有し、前記支え面及び前記加圧面が、前記本体の伸長方向に対して実質的に垂直であり、前記茎部の軸が前記本体の伸長方向の軸と一致している請求項５に記載された髪付加装置。
【請求項８】
前記圧縮空気装置が、プランジャ、及び戻りを保証するばねを含む単作用ピストンを含み、前記ピストンが導管を通して中央装置によって動力を供給され、前記中央装置が前記所定の圧力を調整する装置を備える請求項１に記載された髪付加装置。
【請求項９】
前記可動加圧部材が、固定化要素の接着を活性化するために、それ自体の加圧面を加熱されるようになっている請求項１に記載された髪付加装置。
【請求項１０】
サーミスタが、前記可動加圧部材に収容され、前記中央装置によって所定の電圧で電力供給され、該電圧により温度が決定される請求項９に記載された髪付加装置。
【請求項１１】
制御ユニットがタイマを含み、該タイマが、命令ボタンに応答して、髪付加部分と頭髪との間の接合を実施する、圧縮−加熱−減圧のサイクルの実行を決定するようになっている請求項１に記載された髪付加装置。
【請求項１２】
前記付加装置を支持している支持ケーブルが付加された延長可能な回転するアームを含む特殊装置に組み立てられ、前記支持ケーブルが、作業者のために前記付加装置の重さを事実上打ち消す分銅巻に接続されている請求項１に記載された髪付加装置。
【請求項１３】
制御ユニットがタイマを含み、該タイマが、命令ボタンに応答して、髪付加部分と頭髪との間の接合を実施する、圧縮−加熱−減圧のサイクルの実行を決定するようになっており、前記特殊装置が、前記制御ユニットを支持しかつ車輪の上に組み立てられた基部を含む請求項１２に記載された髪付加装置。
【請求項１４】
前記固定顎部材が、前記加圧部材に向かい合った、弾性的に変形可能な材料で製造された表面板を有する請求項１に記載された髪付加装置。
【請求項１５】
前記作動手段が、それ自体の駆動シャフトを有する電動機を含み、前記作動アームが、並進移動の動きを生じさせるように前記駆動シャフトに機械的に係合されている請求項２に記載された髪付加装置。
【請求項１６】
前記作動アームが、そのストロークを制限する滑り路に挿入されている請求項２に記載された髪付加装置。
【請求項１７】
前記加圧部材の戻りが、前記加圧部材とそれぞれの前記顎部材との間に延在する弾性部材によって保証されている請求項１に記載された髪付加装置。
【請求項１８】
前記髪付加装置が、追加の髪付加部分の固定化要素を活性化する手段を有し、前記活性化する手段が、前記加圧部材と、分子間摩擦によって固定化要素を構成する熱可塑性物質を融解することができる実質的に超音波周波数の振動を伝えることのできる振動部材とを含む請求項１に記載された髪付加装置。
【請求項１９】
前記第２の顎部材が、前記加圧部材の作用と協働して、前記ハンドルの内部に収容された振動発生手段に接続されている振動部材として作動する請求項１８に記載された髪付加装置。
【請求項２０】
前記加圧部材が、固定された顎部材に対して、及び前記ハンドルに接続された前記加圧部材の案内部に対して移動する可動顎部材として作動する請求項１に記載された髪付加装置。
【請求項２１】
追加の髪付加部分を自然の髪に貼り付けて頭髪を長くし及び／又は厚くするために使用される種類の髪付加装置において、
前記髪付加付加装置が、ハンドルと、一対の顎部材と、前記固定顎部材に作用する可動加圧部材とを含み、
前記一対の顎部材が、固定されかつ互いに隣り合って、前記ハンドルに支持され、頭髪の一部及びそれぞれの追加の髪付加部分の１つ又は複数の固定化要素をその間に収容するようになっており、
前記一対の顎部材のうちの第１の顎部材が、少なくとも１つの加圧部材及び前記少なくとも１つの加圧部材の作動手段を支持し、
第２の顎部材が、前記少なくとも１つの加圧部材の作用に対する対照手段としての固定顎部材として作用し、
前記可動加圧部材が、所定の圧力で作動する前記作動手段の圧縮空気装置によって制御され、前記第２の顎部材が、髪付加部分の固定化要素の支え台となるようになっている髪付加装置。
【請求項２２】
前記第１の顎部材が、前記第２の顎部材と向かい合ったそれ自体の内面に、前記加圧部材を収容する凹部を含む請求項２１に記載された髪付加装置。
【国際調査報告】
2005515313.tif 000019
2005515313.tif 000020
2005515313.tif 000021